(57)【要約】【課題】限られた分電盤筐体の幅を有効活用し、且つ簡易な駆動機構及び駆動制御により回路遮断器への投入及び遮断を行うことが可能な回路遮断器ユニットを提供する。【解決手段】スライドバー６１と、回転板６３と、回路遮断器５とを有し、前記スライドバーに６１は、前方側にピン移動孔６１２ａが配設され、後方側に前記回路遮断器の投入及び遮断を行うレバー５２が挿入されてなるレバー移動孔６１３ａが配設されてなり、前記回転板６３には前記スライドバーのピン移動孔６１２ａに対応する位置にピン６３ａが配設されてなり、前記回転板６３の一方向の回転に伴い前記ピン６３ａが前記ピン移動孔６１２ａの外周縁に当接して前記スライドバー６１を後方側にスライドさせることにより前記レバー移動孔６１３ａの外周縁に当接する前記レバー５２を後方側に押して回路遮断器５の投入を完了する。【選択図】図２
2022002174.tif 000002
【特許請求の範囲】
【請求項１】
スライドバーと、回転板とを有し、
前記スライドバーには、前方側にピン移動孔が配設され、後方側に回路遮断器の投入及び遮断を行うレバーを挿入するためのレバー移動孔が配設されてなり、
前記回転板には前記スライドバーのピン移動孔に対応する位置にピンが配設されてなり、
前記回転板の一方向の回転に伴い前記ピンが前記ピン移動孔の外周縁に当接して前記スライドバーを後方側にスライドさせることにより前記レバー移動孔の外周縁に当接されるレバーを後方側に押すように形成され、
前記回転板がさらに同方向に回転することに伴い前記ピンが前記ピン移動孔の外周縁に当接して前記スライドバーを前方側へスライドさせることにより前記レバー移動孔の外周縁に当接する前記レバーを前方側に引くように形成されてなることを特徴とする回路遮断器の操作装置。
【請求項２】
前記回転板を回転駆動させるモーターと、前記モーターへの電力供給を制御するリミットスイッチを有し、
前記モーターの始動信号が入力されると前記モーターが前記回転板の停止位置から前記回転板を一方向に回転させることに伴い前記ピンが前記ピン移動孔の外周縁に当接して前記スライドバーを後方側にスライドさせることにより前記レバー移動孔の外周縁に当接する前記レバーを投入終了位置まで後方側に押すように形成され、
前リミットスイッチが外れることにより前記モーターへの電力供給が断たれ前記回転板が惰性で回転停止位置まで回転し、
前記モーターの始動信号が再び入力されると前記モーターが前記回転板をさらに同方向に回転させることに伴い前記ピンが前記ピン移動孔の外周縁に当接して前記スライドバーを前方側へスライドさせることにより前記レバー移動孔の外周縁に当接する前記レバーを遮断終了位置まで前方側に引くように形成されてなることを特徴とする請求項１記載の回路遮断器の操作装置。
【請求項３】
スライドバーと、回転板と、回路遮断器とを有し、
前記スライドバーには、前方側にピン移動孔が配設され、後方側に前記回路遮断器の投入及び遮断を行うレバーが挿入されてなるレバー移動孔が配設されてなり、
前記回転板には前記スライドバーのピン移動孔に対応する位置にピンが配設されてなり、
前記回転板の一方向の回転に伴い前記ピンが前記ピン移動孔の外周縁に当接して前記スライドバーを後方側にスライドさせることにより前記レバー移動孔の外周縁に当接する前記レバーを後方側に押して回路遮断器の投入を完了し、
前記回転板がさらに同方向に回転することに伴い前記ピンが前記ピン移動孔の外周縁に当接して前記スライドバーを前方側へスライドさせることにより前記レバー移動孔の外周縁に当接する前記レバーを前方側に引いて前記回路遮断器の遮断を完了することを特徴とする回路遮断器ユニット。
【請求項４】
前記回転板を回転駆動させるモーターと、前記モーターへの電力供給を制御するリミットスイッチを有し、
前記モーターの始動信号が入力されると前記モーターが前記回転板の停止位置から前記回転板を一方向回転させことに伴い投入が開始され前記スライドバーが前記レバーを投入終了位置まで後方側に押して投入を完了し、
前リミットスイッチが外れることにより前記モーターへの電力供給が断たれ前記回転板が惰性で回転停止位置まで回転し、
前記モーターの始動信号が再び入力されると前記モーターが前記回転板をさらに同方向に回転させることに伴い前記スライドバーが前記レバーを遮断終了位置まで前方側に引いて遮断を完了することを特徴とする請求項３記載の回路遮断器ユニット。
【請求項５】
スライドバーと、回転板と、回路遮断器とを有し、
前記スライドバーには、前方側にピン移動孔が配設され、後方側に回路遮断遮断器の投入及び遮断をするレバーが挿入されてなるレバー移動孔が配設されてなり、
前記回転板駆動手段により回転される前記回転板には前記スライドバーのピン移動孔に対応する位置にピンが配設されてなり、
前記回転板の一方向の回転に伴い前記ピンが前記ピン移動孔の外周縁に当接して前記スライドバーを後方側にスライドさせることにより前記レバー移動孔の外周縁に当接する前記レバーを後方側に押して投入を完了し、
前記回転板がさらに同方向に回転することに伴い前記ピンが前記ピン移動孔の外周縁に当接して前記スライドバーを前方側へスライドさせることにより前記レバー移動孔の外周縁に当接する前記レバーを前方側に引いて遮断を完了する回路遮断器ユニットを、幅方向に複数併設してなることを特徴とする分電盤。
【請求項６】
前記回転板を回転駆動させるモーターと、前記モーターへの電力供給を制御するリミットスイッチを有し、
前記モーターの始動信号が入力されると前記モーターが前記回転板の停止位置から前記回転板を一方向回転させことに伴い投入が開始され前記スライドバーが前記レバーを投入終了位置まで後方側に押して投入を完了し、
前リミットスイッチが外れることにより前記モーターへの電力供給が断たれ前記回転板が惰性で回転停止位置まで回転し、
前記モーターの始動信号が再び入力されると前記モーターが前記回転板をさらに同方向に回転させることに伴い前記スライドバーが前記レバーを遮断終了位置まで前方側に引いて遮断を完了する回路遮断器ユニットを、幅方向に複数併設してなることを特徴とする請求項５記載の分電盤。
【発明の詳細な説明】
【技術分野】
【０００１】
本発明は、過電流が流れた場合に通電を遮断する回路遮断器の投入及び遮断を手動と遠隔操作との両方で行うことができる遮断器の電気開閉機構を備えた回路遮断器の操作装置、回路遮断器ユニット及び分電盤に関する。
【背景技術】
【０００２】
従来、サーキットプロテクタなど回路遮断器に併設して装着され、手動による投入及び遮断だけでなく、遠隔で投入及び遮断を行うことができる電動操作装置９が知られている。図７乃至１０に示すように一般的にサーキットプロテクタ１００の電動操作装置９は、１極のサーキットプロテクタと同じサイズである。この電動操作装置９の内部では、オネジ９１をモーター９２で正転逆転させてアーム９３を動かしている。正転もしくは逆転の信号でアーム駆動部ベース９４が最上部もしくは最下部に来るとアーム移動金具９８１がバネ９８２、位置決め金９８３の作用で反転してリミットスイッチ９７のドグ９６で停止する（例えば特許文献１、２参照）。
【０００３】
データセンターやその他の施設で用いられる通信機器用に設置されるヒューズやサーキットプロテクタを具備しラック１０１に設置される分電盤には多くの種類があるが、分電盤筐体１０の幅は限られている。そのため、回路遮断器の配置幅Ｗには制限があり、これに接続される装置はできる限り幅を小さく構成する必要があった（例えば、特許文献３参照）。
【先行技術文献】
【特許文献】
【０００４】
【特許文献１】特開昭６０−１７２１２１号公報
【特許文献２】特開２００２−１９０２４５号公報
【特許文献３】特開２０１２−２２１８６８号公報
【発明の概要】
【発明が解決しようとする課題】
【０００５】
ところで、通信機器用にラック内に設置される分電盤では、回路遮断器による遮断操作を分電盤前面で行い、配線を背面側で行う。また上記の通り分電盤筐体の幅には制限がある。したがって分電盤における分岐数を増やすためには電気操作装置の幅を小さくする必要があった。
【０００６】
また、上記従来の電動操作装置では、モーターを複数のギヤを介してオネジに連結するとともに、モーターを正転逆転させてアーム駆動ベースをオネジの軸方向に沿って移動させることでアームを動かしていた。そのため、アーム駆動に係る駆動機構及び駆動制御が複雑であった。また、モーターを正転逆転させるためモーターへの負荷が大きくなり、モーターの寿命に問題があった。
【０００７】
更に、サーキットプロテクタにはロックカバーが用意されているが、電気操作装置を装着したサーキットプロテクタにはロックカバーが取り付けられないので、上記従来の電動操作装置では、落下物で誤遮断することがあった。
【０００８】
本発明は、上記の点に鑑みてなされたものであり、限られた分電盤筐体の幅を有効活用し、且つ簡易な駆動機構及び駆動制御により回路遮断器への投入及び遮断を行うことが可能な回路遮断器ユニットを提供することを目的とする。
【課題を解決するための手段】
【０００９】
上記の目的を達成するために、本発明に係る回路遮断器の操作装置は、
スライドバーと、回転板とを有し、
前記スライドバーには、前方側にピン移動孔が配設され、後方側に回路遮断器の投入及び遮断を行うレバーを挿入するためのレバー移動孔が配設されてなり、
前記回転板には前記スライドバーのピン移動孔に対応する位置にピンが配設されてなり、
前記回転板の一方向の回転に伴い前記ピンが前記ピン移動孔の外周縁に当接して前記スライドバーを後方側にスライドさせることにより前記レバー移動孔の外周縁に当接されるレバーを後方側に押すように形成され、
前記回転板がさらに同方向に回転することに伴い前記ピンが前記ピン移動孔の外周縁に当接して前記スライドバーを前方側へスライドさせることにより前記レバー移動孔の外周縁に当接する前記レバーを前方側に引くように形成されてなることを特徴とする。
【００１０】
また、本発明に係る回路遮断器の操作装置は、
前記回転板を回転駆動させるモーターと、前記モーターへの電力供給を制御するリミットスイッチを有し、
前記モーターの始動信号が入力されると前記モーターが前記回転板の停止位置から前記回転板を一方向に回転させることに伴い前記ピンが前記ピン移動孔の外周縁に当接して前記スライドバーを後方側にスライドさせることにより前記レバー移動孔の外周縁に当接する前記レバーを投入終了位置まで後方側に押すように形成され、
前リミットスイッチが外れることにより前記モーターへの電力供給が断たれ前記回転板が惰性で回転停止位置まで回転し、
前記モーターの始動信号が再び入力されると前記モーターが前記回転板をさらに同方向に回転させることに伴い前記ピンが前記ピン移動孔の外周縁に当接して前記スライドバーを前方側へスライドさせることにより前記レバー移動孔の外周縁に当接する前記レバーを遮断終了位置まで前方側に引くように形成されてなることを特徴とする。
【００１１】
また、上記の目的を達成するために、本発明の他の形態に係る回路遮断器ユニットは、
スライドバーと、回転板と、回路遮断器とを有し、
前記スライドバーには、前方側にピン移動孔が配設され、後方側に前記回路遮断器の投入及び遮断を行うレバーが挿入されてなるレバー移動孔が配設されてなり、
前記回転板には前記スライドバーのピン移動孔に対応する位置にピンが配設されてなり、
前記回転板の一方向の回転に伴い前記ピンが前記ピン移動孔の外周縁に当接して前記スライドバーを後方側にスライドさせることにより前記レバー移動孔の外周縁に当接する前記レバーを後方側に押して回路遮断器の投入を完了し、
前記回転板がさらに同方向に回転することに伴い前記ピンが前記ピン移動孔の外周縁に当接して前記スライドバーを前方側へスライドさせることにより前記レバー移動孔の外周縁に当接する前記レバーを前方側に引いて前記回路遮断器の遮断を完了することを特徴とする。
【００１２】
また、本発明の回路遮断器ユニットは、
前記回転板を回転させるモーターと、前記モーターへの電力供給を制御するリミットスイッチを有し、
前記モーターの始動信号が入力されると前記モーターが前記回転板の停止位置から前記回転板を一方向回転させことに伴い投入が開始され前記スライドバーが前記レバーを投入終了位置まで後方側に押して投入を完了し、
前リミットスイッチが外れることにより前記モーターへの電力供給が断たれ前記回転板が惰性で回転停止位置まで回転し、
前記モーターの始動信号が再び入力されると前記モーターが前記回転板をさらに同方向に回転させることに伴い前記スライドバーが前記レバーを遮断終了位置まで前方側に引いて遮断を完了することを特徴とする。
【００１３】
さらに、上記の目的を達成するために、本発明に係る分電盤は、スライドバーと、回転板と、回路遮断器とを有し、
前記スライドバーには、前方側にピン移動孔が配設され、後方側に回路遮断遮断器の投入及び遮断をするレバーが挿入されてなるレバー移動孔が配設されてなり、
前記回転板駆動手段により回転される前記回転板には前記スライドバーのピン移動孔に対応する位置にピンが配設されてなり、
前記回転板の一方向の回転に伴い前記ピンが前記ピン移動孔の外周縁に当接して前記スライドバーを後方側にスライドさせることにより前記レバー移動孔の外周縁に当接する前記レバーを後方側に押して投入を完了し、
前記回転板がさらに同方向に回転することに伴い前記ピンが前記ピン移動孔の外周縁に当接して前記スライドバーを前方側へスライドさせることにより前記レバー移動孔の外周縁に当接する前記レバーを前方側に引いて遮断を完了する回路遮断器ユニットを、幅方向に複数併設してなることを特徴とする。
【００１４】
また、本発明の分電盤は、
本発明の前記回転板駆動手段を構成するモーターと、前記モーターへの電力供給を制御するリミットスイッチを有し、
前記モーターの始動信号が入力されると前記モーターが前記回転板の停止位置から前記回転板を一方向回転させことに伴い投入が開始され前記スライドバーが前記レバーを投入終了位置まで後方側に押して投入を完了し、
前リミットスイッチが外れることにより前記モーターへの電力供給が断たれ前記回転板が惰性で回転停止位置まで回転し、
前記モーターの始動信号が再び入力されると前記モーターが前記回転板をさらに同方向に回転させることに伴い前記スライドバーが前記レバーを遮断終了位置まで前方側に引いて遮断を完了する回路遮断器ユニットを、幅方向に複数併設してなることを特徴とする。
【発明の効果】
【００１５】
本発明によれば、限られた分電盤筐体の幅を有効活用し、且つ簡易な駆動機構及び駆動制御により回路遮断器への投入及び遮断を行うことができる。
【図面の簡単な説明】
【００１６】
【図１】本実施形態に係る回路遮断器ユニットを備えた分電盤の構成を示す概略斜視図である。
【図２】本実施形態に係る回路遮断器ユニットの構成例を示す図である。
【図３】本実施形態に係る回路遮断器ユニットの動作例を説明する図である。
【図４】本実施形態に係る回路遮断器ユニットの動作例を説明する側面図である。
【図５】本実施形態に係るモーターの駆動回路の一例を示す図である。
【図６】本実施形態に係る回路遮断器ユニットを分電盤に搭載した状態の斜視図を示す図である。
【図７】従来の並列に電動操作装置と回路遮断器が併設されている構成例を示す斜視図である。
【図８】従来の電動操作装置の内部構成例を示す分解平面図である。
【図９】従来の電動操作装置の内部構成例を示す分解背面図である。
【図１０】従来の電動操作装置のアーム駆動ベースを示す図である。
【図１１】分電盤を設置したラックの構成例を示す正面図である。
【図１２】図１１に示す分電盤の正面図である
【発明を実施するための形態】
【００１７】
以下、本発明の実施形態について説明する。
【００１８】
［回路遮断器ユニットを備えた分電盤の構成］
図１は、本実施形態に係る回路遮断器ユニットを備えた分電盤の構成を示す概略斜視図である。
【００１９】
図１に示すように、分電盤筐体１０には複数の回路遮断器ユニット１が幅方向に並設される。各々の回路遮断器ユニット１は、過電流が流れた場合に通電を遮断する回路遮断機構とこの回路遮断機構への投入及び遮断を行う回路遮断器の操作機構とを併せ備える。各機構の詳細については図２や図３を用いて後述する。
【００２０】
なお、上記の通り、従来の電動操作装置は１極の回路遮断器と同じサイズであった。つまり、分電盤筐体１０に一つの回路遮断器を配設する場合、同じ幅の電動操作装置を配設するためのスペースを更に必要としていた。これに対し、本実施形態に係る回路遮断器ユニット１は、分電盤筐体１０の前後方向のスペースを利用して回路遮断機構と電動操作機構とを併せ備えた構成としている。そのため、幅方向に制約が多く前後方向に制約が少ない分電盤筐体１０の限られた幅を有効活用することができる。
【００２１】
［回路遮断器ユニットの構成例］
図２は、本実施形態に係る回路遮断器ユニットの構成例を示す図である。図２（ａ）は、回路遮断器ユニット１の正面図である。図２（ｂ）は、回路遮断器ユニット１の右側面図である。図２（ｃ）は、回路遮断器ユニット１の上面図である。
【００２２】
図２に示す回路遮断器ユニット１は、縦長長方形状の前面板２、前面板２の裏面から後方向に垂直に延設される平板状の基板３、基板３上方において幅方向に水平に延設される平板状の支持板４、基板３に取り付けられて過電流が流れると通電を遮断する回路遮断器としての回路遮断部５、回路遮断部５による回路遮断動作等を行う回路遮断器の操作装置としての電動操作部６等を備える。
【００２３】
前面板２には、図２（ａ）に示すように、ロータリーコードスイッチ２１、電圧計測端子２２ａ、２２ｂ、表示灯２３、ヒューズホルダ２４等の各種機器が配設される。また、前面板２の上部中央には、後述するスライドバー６１が前後に挿通可能な横長のガイド穴２ａが形成されている。
【００２４】
基板３には、図２（ｂ）、（ｃ）に示すように、スライドバー６１よりもやや下の位置において、平板状の支持板４が前面板２の幅方向に水平に延設される。
【００２５】
回路遮断部５は、側面視矩形状の本体部５１と、本体部５１の上部において上向きに付装されるレバー５２とから構成される例えばサーキットプロテクタである。この回路遮断部５は、回路遮断器ユニット１の後方上部に配設される。なお、レバー５２が回路遮断器ユニット１の上方において前後方向に倒動可能な態様に配設される。
【００２６】
本体部５１は、定格値以下の電流が通電している場合にはレバー５２をＯＮの位置、図２（ｂ）に示す例では右側に倒れた位置に配置された状態で通電を行うとともに、過電流が通電するとレバー５２をＯＦＦの位置、図２（ｂ）に示す例では左側に倒れた位置に移動させて通電を遮断する回路遮断機構を内蔵した本体部分である。内蔵される回路遮断機構については既知のものであるため、ここでは説明を省略する。レバー５２は、回路遮断器ユニット１の前後方向に倒動させることによって本体部５１内部の回路遮断機構のＯＮ・ＯＦＦを切り替え可能な操作レバーである。
【００２７】
電動操作部６は、スライドバー６１、モーター６２、回転板６３、リミットスイッチ６４、ガイドピン６５等とから構成される。この電動操作部６は、回路遮断部５の投入及び遮断を手動と遠隔操作との両方で行うものである。
【００２８】
スライドバー６１は、先端部６１１が前面板２のガイド穴２ａに挿通され、前面板２に対して垂直方向に前後移動可能な板状体である。図２（ｃ）に示すように、先端部６１１はガイド穴２ａを通る程度の幅長Ｌ１で形成されている。先端部６１１より後方では幅長Ｌ１よりもやや長い幅長Ｌ２であり、特にモーター６２の直上部６１２近傍では、幅長Ｌ２よりも長い幅長Ｌ３で幅方向に一側辺が延出して形成されている。
【００２９】
直上部６１２には、上下に貫通するピン移動孔６１２ａが形成されている。このピン移動孔６１２ａは、回転板６３の回転に伴い回転板６３が備えるピン６３ａが回転する際に、当該ピン移動孔６１２ａの外周縁に当接してスライドバー６１を前後方向に移動させるためのものである。このピン移動孔６１２ａは、点対称に配置された二つの四角形形状の貫通孔を組み合わせた態様で形成される。またスライドバー６１の後端部６１３には、上下に貫通するレバー移動穴６１３ａ及びガイドピン移動孔６１３ｂが形成されている。レバー移動孔６１３ａは、レバー５２が挿通されてレバー５２の前後移動を可能とするものである。ガイドピン移動孔６１３ｂは、前後方向に延びる態様で形成された貫通穴であり、ガイドピン６５が挿通されてスライドバー６１を固定するものである。
【００３０】
モーター６２は、回路遮断器ユニット１の前方であって支持板４の裏面に配設され、回転板６３を回転させる減速機付きモーターである。このモーター６２は、不図示の遠隔装置からの駆動開始指示等に基づいて駆動し、一方向（例えば正回転方向）にのみ回転駆動する。このモーター６２の駆動回路例については図５を用いて後述する。
【００３１】
回転板６３は、一対の短径の扇形部と一対の長径の扇形部とが円周方向に交互に組み合わされて形成された板状体である。この回転板６３は支持板４の上面に配設され、モーター６２に駆動されて回転する。また長径の扇形部において、突起物である一本のピン６３ａが短径の長さの半径位置に固設される。
【００３２】
リミットスイッチ６４は、回転板６３の回転位置を検知するための電気スイッチである。ガイドピン６５は、ガイドピン移動孔６１３ｂに挿通されてレバー５２を押し引きするためのピンである。
【００３３】
以上に示すように、本実施形態に係る回路遮断器ユニット１は、過電流が流れた場合に通電を遮断する回路遮断部５とこの回路遮断部５への投入及び遮断を行う電動操作部６とを併せ備えた構成である。
【００３４】
［回路遮断器ユニットの動作例］
図３は、本実施形態に係る回路遮断器ユニットの動作例を説明するための図である。また、図４は図３の動作例に対応する回路遮断器ユニットの動作例を示す構成図であり、スライドバー６１と、レバー５２を実線、それらの動作軌跡を破線で表している。
【００３５】
図３を用いて回路遮断器５の投入から遮断までの電動操作部６の動作を説明する。なお、説明の便宜上、図３（ａ）〜（ｆ）の各図ではスライドバー６１を上面から見た図を示している。
【００３６】
図３（ａ）では、回路遮断部５が通電を遮断した状態、すなわちレバー５２が前方（同図では下方）に倒れた状態を示している。このとき、スライドバー６１の先端部６１１は前面板２より前方（図３（ａ）では下方）に突き出た状態となる。回転板６３は、ピン６３ａが先端部６１１側に配置され且つ一対の長径の円径部分がスライドバー６１の軸方向に配置される。
【００３７】
図３（ａ）に示す状態において、モーター６２（図３では不図示）に駆動始動信号を入れると、モーター６２及びモーター６２に取り付けられた回転板６３が時計回りに回転開始し、図３（ｂ）に示す状態に移行する。
【００３８】
図３（ｂ）では、回路遮断部５が投入を開始する状態を示している。図３（ａ）と同様に、レバー５２が前方に倒れ、スライドバー６１の先端部６１１が前面板２より前方に突き出た状態である。一方、回転板６３に設けられたピン６３ａがピン移動孔６１２ａの側縁に当接し、さらに回転した場合にはスライドバー６１を後方向に押し上げ始める。その後、図３（ｃ）に示す状態に移行する。
【００３９】
図３（ｃ）では、回路遮断部５が投入を終了した状態を示している。このとき、レバー５２は後方に倒れ、スライドバー６１の先端部６１１は前面板２より少しだけ前方に突き出ておりこれ以上押し込めない状態である。ピン６３ａは、図３（ｂ）で当接したピン移動孔６１２ａの側縁の右端に移動する。その後リミットスイッチ６４が外れることでモーター６２への電力供給が絶たれ、さらに回転板６３は惰性で回転して図３（ｄ）に示す状態に移行する。
【００４０】
図３（ｄ）では、回路遮断部５の投入終了後に回転板６３が停止した状態を示している。図３（ｃ）と同様に、レバー５２が後方に倒れ、スライドバー６１の先端部６１１が前面板より少しだけ前方に突き出ておりこれ以上押し込めない状態である。なお、回転板６３は、ピン６３ａが後端部６１３側に配置され且つ一対の長径の円径部分がスライドバー６１の軸方向に配置される。
【００４１】
図３（ｄ）に示す状態において、更にモーター６２（図３では不図示）に駆動始動信号を入れると、モーター６２及びモーター６２に取り付けられた回転板６３が時計回りに回転開始し、図３（ｅ）に示す状態に移行する。
【００４２】
図３（ｅ）では、回路遮断部５が遮断を開始する状態を示している。図３（ｄ）と同様に、レバー５２が後方に倒れ、スライドバー６１の先端部６１１が前面板より少しだけ前方に突き出ておりこれ以上押し込めない状態である。一方、回転板６３に設けられたピン６３ａがピン移動孔６１２ａの側縁（図３（ｂ）で説明した側縁と点対称な位置の側縁）に当接し、さらに回転した場合にはスライドバー６１を前方向に押し下げ始める。その後、図３（ｆ）に示す状態に移行する。
【００４３】
図３（ｆ）では、回路遮断部５が遮断を終了した状態を示している。このとき、レバー５２は前方に倒れ、スライドバー６１の先端部６１１は前面板２から前方に突き出た状態である。回転板６３に設けられたピン６３ａは、図３（ｅ）で当接した側縁の左端に移動する。その後リミットスイッチ６４が外れることでモーター６２への電力供給が絶たれ、さらに回転板６３は惰性で回転して図３（ａ）に示す状態に移行する。
【００４４】
［モーターの駆動回路例］
図５は、本実施形態に係るモーターの駆動回路の一例を示す図である。
【００４５】
図５に示すようにモーター６２周りの駆動回路７は、始動スイッチ７１、リレー７２、７３、電源６９、リミットスイッチ６４、モーター６２を有する構成である。
【００４６】
不図示の遠隔装置からの駆動開始指示等に基づいて始動スイッチ７１が瞬時押されると、リレー７３により自己保持されモーター６２が回転を開始し、その後リミットスイッチ６４が押され再度解放されるまで回転を継続し、停止する。
【００４７】
以上図３乃至図５を用いて説明してきたように、本実施形態に係る回路遮断器ユニット１では、電動操作部６が備えるモーター６２の同一方向への回転に基づいて、回路遮断部５の投入及び遮断を切り替えている。これにより、モーター６２を正転逆転させる場合に比してモーター６２への負荷が小さくなり、モーター６２の寿命を延ばすことができる。
【００４８】
また、回転板６３に設けられたピン６３ａが、モーター６２の一方向への回転に基づいてスライドバー６１を前後方向に移動させ、且つ、スライドバー６１にレバー移動穴６１３ａを介して連結されたレバー５２を前後方向に倒動させる簡易な駆動機構により、回路遮断部５への投入及び遮断を行うことができる。また、図３で説明したように同一信号にて投入及び遮断を繰り返すことができるため、簡易な駆動制御により回路遮断部５への投入及び遮断を行うことができる。
【００４９】
また、図６に示すように、回路遮断器ユニット１において、回路遮断器の操作装置としての電動操作部６と回路遮断器としての回路遮断部５を奥行き方向に配設して、回転板６３の回転駆動をスライドバー６１の前後方向の運動に変えて回路遮断器５のレバー５２を操作することにより、幅方向に制約が多く前後方向に制約が少ない分電盤筐体１０の限られた幅を有効活用することができる。
【００５０】
さらに、本実施形態に係る回路遮断器ユニット１では、回路遮断部５のレバー５２が外部に露出せず、前面板２に対してスライドバー６１を押し引きすることでレバー５２を前後方向に倒動させることが可能である。そのため、従来のように誤遮断防止用のロックカバーを用意する必要がなく、落下物で誤遮断することを防止することができる。
【００５１】
なお、上記図３に係る説明において、図３（ａ）、（ｄ）に示す状態において手動でスライドバー６１を操作してもよい。これにより、手動で回路遮断部５への投入及び遮断を行うことができる。
【００５２】
以上、本発明の一実施形態について説明したが、上記実施形態は本発明の適用例の一つを示したものであり、本発明の技術的範囲を上記実施形態の具体的構成に限定する趣旨ではない。
【符号の説明】
【００５３】
１  回路遮断器ユニット
２  前面板
５  回路遮断部（回路遮断器）
６  電動操作部（回路遮断器の操作装置）
７  駆動回路
５２  レバー
６１  スライドバー
６２  モーター
６３  回転板
６４  リミットスイッチ
【図１】
2022002174.tif 000003
【図２】
2022002174.tif 000004
【図３】
2022002174.tif 000005
【図４】
2022002174.tif 000006
【図５】
2022002174.tif 000007
【図６】
2022002174.tif 000008
【図７】
2022002174.tif 000009
【図８】
2022002174.tif 000010
【図９】
2022002174.tif 000011
【図１０】
2022002174.tif 000012
【図１１】
2022002174.tif 000013
【図１２】
2022002174.tif 000014